(57)【特許請求の範囲】
【請求項１】
固定しようとする管体の外周を包持する包持部と、包持部の両側に一体に延接され、かつ相手側ジョイントと直交または平行に重ね合せた状態でボルト挿通孔同士が一致する一対のフランジとを有する一対の交差ジョイント同士を、前記直交若しくは平行またはこれら以外の任意の傾斜角度で互いに連結するための角度調整治具であって、
この角度調整治具は、中心軸を介して回転可能に連結された一対の円盤と、両円盤に基部を埋設固定され、かつ前記交差ジョイントの各ボルト挿通孔に一致して配置された複数のボルトと、各ボルトの埋設箇所を除き、両円盤の前後を貫通して、それぞれ回転中心から所要の角度をなして開口され、かつ互いに相手側ボルトを挿通する複数のガイド長孔とを備えたものであることを特徴とする交差ジョイントの角度調整治具。
【発明の詳細な説明】
【０００１】
【発明の属する技術分野】
この発明は、建設現場等の足場として用いられる管体を組立てるための交差ジョイント同士を任意の交差角度で互いに連結できるようにした角度調整治具に関する。
【０００２】
【従来の技術】
先に本出願人は、補強繊維を不飽和ポリエステル樹脂で一体的に結着した中間層と、この中間層の内周面及び外周面をそれぞれ被覆する、前記不飽和ポリエステル樹脂に対する化学的親和性を有する熱可塑性樹脂からなる内層及び外層とを有する三層構造からなる角穴形状の繊維強化合成樹脂製管体を開発した。
【０００３】
この管体は、本質的にＦＲＰ製のポールに固有の軽量であって、高度な弾性及び剛性を具備すると同時に、内外が熱可塑性樹脂層によって覆われることにより、繊維のむき出しなどによる手の傷つき等を防止できることから、各種仮設足場、養殖用筏材、浮桟橋などの構造体フレーム用素材として、その用途が拡大されつつある。
【０００４】
特に、仮設足場に使用した場合には、従来の鋼管パイプを使用したものに比べて曲りにくく、また永久変形がないため、その転用回数も増大し、ランニングコストが安価となるうえ、電気的な絶縁性も高いところから、特に鉄道沿線での塗装工事の足場組や、ビルの高圧電源設備周縁の工事足場組など、足場施工時において感電事故、ショートのおそれのある場所においては、従来の木製角材を使用した仮設足場に代替するものとして、木材資源の枯渇化を防止する上からも好適である。
【０００５】
但し、この種の高度な電気的絶縁性を要求される場所で実際に仮設足場を組立てるに際し、従来と同様、個々の管体同士を金属製クランプ具などにより接合した場合には、せっかくの絶縁性がこの接合箇所では保たれないものとなる。なお、この部分を合成樹脂製の絶縁テープ、カバーなどで覆うようにもできるが、工事量が増加するので好ましくない。さらに、ロープなどによって接続するのでは、締付けに時間がかかり、固定状態が不安定で、緩みやすいものとなる。
【０００６】
以上の課題に関し、先に本出願人は、ガラス繊維強化熱可塑性樹脂層の材料であるガラス繊維を強化材とするＦＲＴＰスタンパブルシートとして、ポリプロピレンをマトリックス樹脂としてラミネート法により得られたシートからなる、少なくとも管体の外層を構成する樹脂よりも軟質の樹脂成形体から構成されるものであって、前記管体の外周を包持する包持部と、包持部の両側に一体に延接され、かつ相手側ジョイントと重ね合せた状態でボルト挿通孔同士が一致する一対のフランジとを有する一対の交差ジョイントと、該一対の交差ジョイントのフランジに形成されたボルト挿通孔を貫通して両フランジ間を連結する合成樹脂製ボルトおよび合成樹脂製ナット、を備えたジョイント構造を開発した。
【０００７】
これによれば、交差ジョイントおよび締結具ともオール樹脂製となるため、接続部の絶縁性を高度に保持しながら管体同士を簡単に結合できる。
【０００８】
【発明が解決しようとする課題】
しかしながら、以上の結合構造では、パイプ同士を直交または平行のいずれかにより結合する組立形態をとることができるものの、実際の足場組で筋かい、補助支柱、階段部手摺などに適用する場合には、パイプ同士を斜めに交差して結合しなければならない場合があり、このような組立形態には適合できなかった。また、このような組立形態に適合する場合には、専用の傾斜角度で交差する交差ジョイントを別途作らなければならず、管理工数の増加を招くと同時に、組立現場における傾斜角度の調整ができず、融通性に乏しいものとなっていた。
【０００９】
本発明は、以上の課題を解決するものであって、その目的は、直交または平行のいずれかでしか連結できない交差ジョイントであっても、斜めに任意の角度で交差して結合できるようにした角度調整治具を提供するものである。
【００１０】
【課題を解決するための手段】
以上の目的を達成するため、本発明は、固定しようとする管体の外周を包持する包持部と、包持部の両側に一体に延接され、かつ相手側ジョイントと直交または平行に重ね合せた状態でボルト挿通孔同士が一致する一対のフランジとを有する一対の交差ジョイント同士を、前記直交若しくは平行またはこれら以外の任意の傾斜角度で互いに連結するための角度調整治具であって、この角度調整治具は、中心軸を介して回転可能に連結された一対の円盤と、両円盤に基部を埋設固定され、かつ前記交差ジョイントの各ボルト挿通孔に一致して配置された複数のボルトと、各ボルトの埋設箇所を除き、両円盤の前後を貫通して、それぞれ回転中心から所要の角度をなして開口され、かつ互いに相手側ボルトを挿通する複数のガイド長孔とを備えたものであることを特徴とするものである。
【００１１】
したがってこの発明ではこの角度調整治具の介在により、直交若しくは平行またはこれら以外の任意の傾斜角度で交差ジョイント同士およびパイプ同士を連結できる。
【００１２】
【発明の実施の形態】
以下、この発明の好ましい実施の形態につき、添付図面を参照して詳細に説明する。図１は、繊維強化合成樹脂管体および交差ジョイントを用いた足場組構造を示している。
【００１３】
図において、１は複数の交差ジョイント１０によって縦横に結合された例えば角形の管体であり、それぞれが足場組の柱部材および梁部材を構成している。これら管体１，１の接合箇所に位置する交差ジョイント１０は、図２に拡大して示されるような構造となっている。同図に例示される角形の管体１は、補強繊維を不飽和ポリエステル樹脂で一体的に結着した中間層１ａと、該中間層１ａの内周面および外周面をそれぞれ被覆し前記不飽和ポリエステル樹脂に対する化学的親和性を有する熱可塑性樹脂からなる内層１ｂおよび外層１ｃとを有する三層構造からなるもので、例えば一辺が６０ｍｍ、厚さ５ｍｍの正方形断面をなして成形されている。
【００１４】
交差ジョイント１０は、ガラス繊維強化熱可塑性樹脂層の材料であるガラス繊維を強化材とするＦＲＴＰスタンパブルシートとして、ポリプロピレンをマトリックス樹脂としてラミネート法により得られたシート（商品名：アズデルＰ１１３７ＢＫ、宇部日東化成株式会社製）からなるものであり、この材料を採用することによって、弾性を有するとともに、少なくとも前記管体１の外層を構成する樹脂よりも軟質の素材構成とすることができる。
【００１５】
そして、この交差ジョイント１０の形状は、管体１の外径とほぼ一致する内径寸法であって、これの外周三辺を包囲する包持部１２と、該包持部１２の開口縁両側部からこれと直交して一体的に延設される一対のフランジ部１４と、両フランジ部１４に開口形成された後述の一対のボルト通し孔１６とから構成されている。
【００１６】
ボルト通し孔１６は、交差ジョイント１０，１０同士の前後開口を一致させた状態、および９０°交差させた状態で互いに一致し、したがって、図２に示すように、管体１同士を９０゜交差して接合する場合のほか、図３に示すように、所定重ね合せしろで重ね合せて直線状に接合する場合のいずれの接合形態であっても、接合が可能となる。また、包持部１２の内面には、図示しないが、波形が連続する細かい凹凸が形成され、管体１の外周に対する食いつき効果を得ている。
【００１７】
以上の交差ジョイント１０，１０同士の接合は、合成樹脂製ボルト２０、合成樹脂製ナット２２を介して行われ、ボルト２０を締結した状態では、交差ジョイント１０が弾性変形により管体１の外周を締め付け、管体１，１同士はしばり嵌め状態に接合され、管体１，１同士は直交ないしは直線状をなして結合することになる。
【００１８】
なお、ナット２２はデルリン、ジュラコンなどのエンジニアリングプラスチックスから構成されることが望ましい。また、ボルト２０は、ＦＲＰ製ロッドを中芯としてこれの外周にこれと親和性のある熱可塑性樹脂製のエンジニアリングプラスチックをインサート成形し、ボルト頭部、雄ねじ部を形成した六角頭つきボルトとすることが望ましい。
【００１９】
したがって、以上の交差ジョイント１０による接合箇所は全て樹脂製となり、管体１のみならず、接合部も高度な絶縁性が保たれることになる。但し、高度な電気的絶縁性を要求されない箇所では、ボルト・ナットの材質については金属製のものでもよいことは勿論である。
【００２０】
以上の柱部材および梁部材の結合に加え、前記柱部材間には前記角形管体１および交差ジョイント１０の組合わせによって柱部材間に筋かいが結合されているとともに、足場組支持用の斜桁も支柱部分に取付けられている。この位置では、接合角度が直交または平行でなく、柱部材間の間隔や高さに応じた任意の傾斜角度で両端あるいは一端が固定されるため、このような角度を持った固定箇所に、本発明にかかる角度調整治具３０が用いられる。
【００２１】
図４〜図７は、本発明の角度調整治具３０およびこれを用いた連結構造を示すもので、角度調整治具３０は、繊維強化熱可塑性樹脂（例えば宇部日東化成株式会社製の商品名「アズデル」）などの材質からなるほぼ同一径の一対の円盤３２と、各円盤３２にインサート成形により基部を埋設固定され、かつ前記交差ジョイント１０の各ボルト通し穴１６に一致して配置されたそれぞれ４本のボルト３４と、各ボルト３４の埋設箇所を除き、両円盤３２の前後を貫通してそれぞれ中心から所定角度（本実施形態では、約７０°）で開口され、かつ互いに相手側ボルト３４を挿通する４つのガイド長孔３６と、両円盤３２の中心にあけられた穴３２ａに挿通され、両円盤３２を相対回転可能に連結する中心軸３８および中心軸３８の両端に嵌合される抜け止め用のＥ−リング４０とを備えるものである。
【００２２】
そして、両円盤３２を互いにそのボルト３４を対向させて向い合わせ（図５参照）、盤面を一致させることで、各ボルト３４は相手側ガイド穴３６を貫通して互いに反対側に突出し、次いで中心軸３８を取付け、Ｅ−リング４０で両端固定すれば、両円盤３２，３２同士は中心軸３８を中心に７０゜〜８０°相対回転可能に組付けられ、それぞれ相手側に突出したボルト３４を交差ジョイント１０のボルト通し穴１６に挿通することができ（図６参照）、角度調整治具３０を完成することができる。
【００２３】
実際の組立現場で以上の角度調整治具３０の両面に、角形管体１を配置し、交差ジョイント１０と円盤３２との間でこれを抱持し、ボルト３４の通し穴１６からの突出部分にナット４２をねじ込んでフランジ部１４を固定すれば、角形管体１をしばり嵌め状態に固定すると同時に、円盤３２，３２同士も相手側ボルトにより締め付けられ、両角形管体１，１をほぼ２０°〜７０°以内の任意の傾斜角度で連結固定できる（図７参照）ことになる。
【００２４】
なお、インサートボルト３４、ナット４２、中心軸３８、Ｅ−リング４０とも高度な絶縁性を要求される場所の組み立てに使用する場合には、合成樹脂製、あるいは繊維強化プラスチックなどにより構成することが望ましいが、通常の使用形態では金属製であってもよいことは勿論である。
【００２５】
【発明の効果】
以上の説明により明らかなように、本発明にかかる交差ジョイントの角度調整用治具にあっては、直交または平行でのみ互いに結合する交差ジョイントの傾斜角度を任意に調整できるため、所定の交差角度で結合する格別な交差ジョイントを別途設ける必要がなく、現場での角度合わせに十分に適合できるため融通性に富み、パイプ同士を結合するための部品点数が削減できる利点がある。
【図面の簡単な説明】
【図１】角形管体および交差ジョイントを用いた足場組の側面図である。
【図２】図１のＡ部の拡大姿図である。
【図３】同平行重ね組立形態を示す姿図である。
【図４】本発明にかかる角度調整治具の半平面図および断面図である。
【図５】同上分解姿図である。
【図６】同上組立姿図である。
【図７】図１のＢ部における同上角度調整治具による角形管体同士の結合形態を示す姿図である。
【符号の説明】
１  角形中空繊維強化合成樹脂製管体
１０  交差ジョイント
１２  包持部
１４  フランジ部
１６  ボルト通し孔
３０  角度調整治具
３２  円盤
３４  ボルト
３６  ガイド長孔
３８  中心軸
【図１】
0003881750.tif 000002
【図２】
0003881750.tif 000003
【図３】
0003881750.tif 000004
【図４】
0003881750.tif 000005
【図５】
0003881750.tif 000006
【図６】
0003881750.tif 000007
【図７】
0003881750.tif 000008